(57)【特許請求の範囲】
【請求項１】
媒体が配置される面を有する底板と、
前記面に沿って当該面よりも下方に設けられたレールと、
前記レールに保持され、前記面の上方に突出した部分を有する第１の姿勢を取るときに前記面に沿った第１の方向から前記媒体によって当該部分が押された場合、当該第１の姿勢を維持して当該媒体が移動することを制限する制限部材であって、前記第１の姿勢を取るときに前記第１の方向と反対の第２の方向から前記媒体によって前記部分が押された場合、前記第１の姿勢よりも前記面の上方に突出した部分が小さい第２の姿勢に変化して、当該媒体が移動することを許容する制限部材と、
を具備し、
前記レールは、前記制限部材との接触によって摩擦による抵抗力を生じる抵抗板を有し、
前記制限部材は、前記第１の姿勢を取るとき前記抵抗板に接触し、前記第２の姿勢を取るとき当該抵抗板に接触しない摩擦面を有する
ことを特徴とする容器。
【請求項２】
請求項１に記載の容器と、
前記容器から前記媒体を取り出して供給する供給装置と、
前記供給装置により供給される媒体に画像を形成する画像形成部と
を備えることを特徴とする画像形成装置。
【発明の詳細な説明】
【技術分野】
【０００１】
本発明は、容器および画像形成装置に関する。
【背景技術】
【０００２】
特許文献１には、給紙される用紙が配置される用紙配置面を有する装置本体と、前記装置本体に回転自在に設けられ、開状態で、前記用紙配置面に配置された用紙の給紙方向後端部を支持可能なカバーと、前記用紙配置面に設けられて、前記給紙方向と平行な方向に移動可能に設けられた移動部材と、前記移動部材から該移動部材の移動方向に延び、かつ一端部が前記カバーの回転軸と平行な回転軸を介して該移動部材に回転可能に連結された連結部材と、前記連結部材に、前記移動部材の移動方向に移動可能に設けられ、前記用紙配置面に配置された用紙の給紙方向後端を規制する用紙後端規制部材と、を具備することを特徴とする給紙装置が記載されている。
【先行技術文献】
【特許文献】
【０００３】
【特許文献１】特開２０１１−２１９１８９号公報
【発明の概要】
【発明が解決しようとする課題】
【０００４】
本発明は、容器の内部において媒体の端部が移動することを制限する部材が、その容器へ媒体を搬入させることを妨げないようにすることを目的とする。
【課題を解決するための手段】
【０００５】
本発明の請求項１に係る容器は、媒体が配置される面を有する底板と、前記面に沿って当該面よりも下方に設けられたレールと、前記レールに保持され、前記面の上方に突出した部分を有する第１の姿勢を取るときに前記面に沿った第１の方向から前記媒体によって当該部分が押された場合、当該第１の姿勢を維持して当該媒体が移動することを制限する制限部材であって、前記第１の姿勢を取るときに前記第１の方向と反対の第２の方向から前記媒体によって前記部分が押された場合、前記第１の姿勢よりも前記面の上方に突出した部分が小さい第２の姿勢に変化して、当該媒体が移動することを許容する制限部材と、を具備し、前記レールは、前記制限部材との接触によって摩擦による抵抗力を生じる抵抗板を有し、前記制限部材は、前記第１の姿勢を取るとき前記抵抗板に接触し、前記第２の姿勢を取るとき当該抵抗板に接触しない摩擦面を有することを特徴とする。
本発明の請求項２に係る画像形成装置は、請求項１に記載の容器と、前記容器から前記媒体を取り出して供給する供給装置と、前記供給装置により供給される媒体に画像を形成する画像形成部とを備えることを特徴とする。
【発明の効果】
【０００６】
請求項１，２に係る発明によれば、容器の内部において媒体の端部が移動することを制限する部材が、その容器へ媒体を搬入させることを妨げない。
【図面の簡単な説明】
【０００７】
【図１】本実施形態に係る画像形成装置の全体構成を示す図である。
【図２】容器の概要を示す図である。
【図３】図２における矢視III−IIIから容器を見た図である。
【図４】制限部材の接触板を説明するための図である。
【図５】制限部材の滑走板を説明するための図である。
【図６】制限部材の動作を説明するための図である。
【図７】変形例における姿勢の変化を説明するための図である。
【図８】誘導部の構成の一例を示す図である。
【図９】図８における矢視IX−IXから誘導部を見た図である。
【図１０】ロック部材が回転した後の配置を示す図である。
【図１１】突当部材の姿勢が変化する様子を説明するための図である。
【図１２】変形例における連動動作の一例を示す図である。
【発明を実施するための形態】
【０００８】
１．実施形態
１−１．全体構成
図１は、本実施形態に係る画像形成装置１の全体構成を示す図である。同図に示すように、画像形成装置１は、容器１１と、供給部１２と、現像部１３Ｙ，１３Ｍ，１３Ｃ，１３Ｋと、転写部１４と、加熱部１５と、搬送部１６とを備えている。なお、符号のＹ，Ｍ，Ｃ，Ｋはそれぞれ、イエロー、マゼンタ、シアン、ブラックのトナーに対応した構成であることを意味している。現像部１３Ｙ，１３Ｍ，１３Ｃ，１３Ｋのそれぞれは、用いるトナーが異なるのみであって、その構成に大きな差異はない。以下、現像部１３Ｙ，１３Ｍ，１３Ｃ，１３Ｋのそれぞれを特に区別する必要がない場合には、トナーの色を示す符号末尾のアルファベットを省略して「現像部１３」とする。
【０００９】
容器１１は、予め定められたサイズにカットされた、媒体としての用紙Ｐが収容される容器である。容器１１は、画像形成装置１において多様な種類の用紙Ｐをそれぞれ収容する容器が差し込まれる領域Ｒｔに開口部Ｒｅから差し込まれる。
供給部１２は、用紙Ｐに接触してこの用紙Ｐを搬送部１６へ供給する供給ユニットを有する。容器１１に収容されている用紙Ｐは、図示しない制御部の指示により供給ユニットによって１枚ずつ取り出され、搬送部１６に供給される。なお、媒体は用紙に限らず、例えば樹脂製のシート等であってもよい。要するに、媒体は、表面に画像を記録し得るものであればよい。
【００１０】
搬送部１６は、搬送ロールを有する。搬送部１６は、供給部１２から供給された用紙Ｐを転写部１４へ搬送する。また、搬送部１６は、転写部１４および加熱部１５を経た用紙Ｐを画像形成装置１の筐体外部に搬送する。
【００１１】
各現像部１３は、感光体ドラム３１と、帯電器３２と、露光装置３３と、現像器３４と、一次転写ロール３５と、ドラムクリーナ３６とを備えている。感光体ドラム３１は電荷発生層や電荷輸送層を有する像保持体であり、図示しない駆動部により図中の矢印Ｄ１３の方向に回転させられる。帯電器３２は感光体ドラム３１の表面を帯電させる。露光装置３３はレーザ発光源やポリゴンミラー等（いずれも図示せず）を備え、制御部の制御の下、画像データに応じたレーザ光を、帯電器３２により帯電させられた後の感光体ドラム３１に向けて照射する。これにより、各感光体ドラム３１には潜像が保持される。なお、上記の画像データは、制御部が図示しない通信部を介して外部装置から取得したものであってもよい。外部装置とは、例えば原画像を読み取る読取装置や画像を示すデータを記憶した記憶装置等である。
【００１２】
現像器３４はＹ，Ｍ，Ｃ，Ｋのいずれかの色のトナーと、フェライト粉等の磁性キャリアを含む二成分現像剤を収容する。そして現像器３４に形成された磁気ブラシの穂先が感光体ドラム３１の表面に接触することで、トナーは感光体ドラム３１表面で露光装置３３により露光された部分、すなわち静電潜像の画線部に付着し、感光体ドラム３１に画像が形成（現像）される。
【００１３】
一次転写ロール３５は転写部１４の中間転写ベルト４１が感光体ドラム３１と対向する位置において予め定めた電位差を生じさせ、この電位差によって中間転写ベルト４１に画像を転写する。ドラムクリーナ３６は、画像の転写後に感光体ドラム３１の表面に残留している未転写のトナーを取り除き、感光体ドラム３１表面を除電する。即ち、ドラムクリーナ３６は、次の画像形成に備えて、感光体ドラム３１から不要なトナーや電荷を除去するものである。
【００１４】
転写部１４は、中間転写ベルト４１と、二次転写ロール４２と、ベルト搬送ロール４３と、バックアップロール４４とを備えており、現像部１３によって形成された画像を、ユーザの操作に応じて決められた紙種の用紙Ｐに転写する転写部である。中間転写ベルト４１は無端のベルト部材であり、ベルト搬送ロール４３およびバックアップロール４４はこの中間転写ベルト４１を張架する。ベルト搬送ロール４３およびバックアップロール４４の少なくとも１つには駆動部（図示せず）が備えられており、中間転写ベルト４１を図中の矢印Ｄ１４方向に移動させる。なお、駆動部を有さないベルト搬送ロール４３またはバックアップロール４４は、中間転写ベルト４１の移動に従動して回転する。中間転写ベルト４１が図中の矢印Ｄ１４方向に移動して回転することにより、中間転写ベルト４１上の画像は、二次転写ロール４２とバックアップロール４４とに挟まれる領域に移動させられる。
【００１５】
二次転写ロール４２は、中間転写ベルト４１との電位差によって、中間転写ベルト４１上の画像を搬送部１６から搬送されてきた用紙Ｐに転写させる。ベルトクリーナ４９は、中間転写ベルト４１の表面に残留している未転写のトナーを取り除く。そして、転写部１４または搬送部１６は、画像が転写された用紙Ｐを加熱部１５へと搬送する。なお、現像部１３および転写部１４は、本発明における媒体に画像を形成する画像形成手段の一例である。
【００１６】
加熱部１５は、例えば磁界を発生させる磁界発生回路と、発生した磁界が作用して生じる電磁誘導によって発熱する加熱ベルトと、加熱ベルトとの間で用紙Ｐを挟んで搬送する加圧ロールとを有する。加熱部１５は、用紙Ｐを加熱して用紙Ｐに転写された画像を定着させる。
【００１７】
１−２．容器の構成
図２は、容器１１の概要を示す図である。以下、図において、容器１１の各構成の配置を説明するため、各構成が配置される空間をｘｙｚ右手系座標空間として表す。また、図に示す座標記号のうち、内側が白い円の中に黒い円を描いた記号は、紙面奥側から手前側に向かう矢印を表している。また、内側が白い円の中に交差する２本の線分を描いた記号は、紙面手前側から奥側に向かう矢印を表している。空間においてｘ軸に沿う方向をｘ軸方向という。また、ｘ軸方向のうち、ｘ成分が増加する方向を＋ｘ方向といい、ｘ成分が減少する方向を−ｘ方向という。ｙ、ｚ成分についても、ｙ軸方向、＋ｙ方向、−ｙ方向、ｚ軸方向、＋ｚ方向、−ｚ方向を定義する。なお、供給部１２が容器１１から用紙Ｐを取り出して搬送部１６に供給する方向は−ｙ方向であり、容器１１の内部において用紙Ｐが積載される方向は＋ｚ方向であり、用紙Ｐの幅方向はｘ軸方向である。
【００１８】
容器１１は、底板１１１と、制限部材１１２と、カバー１１３と、レール１１４と、サイドガイド１１５と、誘導部１１６とを有する。底板１１１の上には用紙Ｐが配置される。制限部材１１２は、底板１１１に設けられる。
【００１９】
図３は、図２における矢視III−IIIから容器１１を見た図である。配置面１１１１は、図３に示す底板１１１の上方（＋ｚ方向）の面である。配置面１１１１の上には、用紙Ｐが配置される。用紙Ｐが複数枚ある場合には、これら複数の用紙Ｐは、積み重ねられた状態で配置面１１１１の上に配置される。
【００２０】
制限部材１１２は、接触板１１２１と滑走板１１２２とを有し、接触板１１２１は、滑走板１１２２に対して軸Ｏ１を中心として決められた範囲にわたって回転可能に取付けられている。この軸Ｏ１は、ｘ軸方向に平行な軸である。接触板１１２１は、軸Ｏ１を中心として例えば、図３に示す矢印Ｄ３１方向に回転すると、配置面１１１１の上方に突出した部分を有する姿勢（以下、第１の姿勢という）を取る。この第１の姿勢を取るときに、制限部材１１２の接触板１１２１は、−ｙ方向の側（以下、第１の側という）で用紙Ｐに接してその端部が移動することを制限する。したがって、接触板１１２１の第１の側で接している用紙Ｐが、接触板１１２１を押しても、制限部材１１２は第１の姿勢を維持し、用紙Ｐの移動を阻む。
【００２１】
レール１１４は、底板１１１のうち、配置面１１１１よりも下方（−ｚ方向）に設けられている。レール１１４は、滑走板１１２２をｙ軸方向に滑走させるレールである。滑走板１１２２がｙ軸方向に沿って滑走することで、例えば、制限部材１１２は、図３に示す矢印Ｄ３２方向や、その逆方向に移動する。これにより、例えば用紙Ｐの供給される方向（すなわち、ｙ軸方向）の長さがＬｂである場合、制限部材１１２は図３に示した位置に配置されてこの用紙Ｐの端部が移動することを制限する。一方、用紙Ｐの上記の長さがＬａである場合、制限部材１１２を矢印Ｄ３２方向に移動させてこの用紙Ｐの端部が移動することを制限する。つまり、制限部材１１２は、レール１１４に沿って移動させられて配置を調整されることにより、供給される方向に長さの異なる複数種類の用紙Ｐの端部が移動することを制限するように構成されている。制限部材１１２は、滑走板１１２２がレール１１４に設けられた部材（図示せず）などにぶつかって止まるまでの範囲で移動する。
【００２２】
カバー１１３は、ｘ軸方向に平行な軸Ｏ２を中心として、決められた範囲にわたって回転可能に底板１１１に取付けられている。カバー１１３は、例えば、図３に示す矢印Ｄ３３方向に回転すると、図１に示した開口部Ｒｅを閉じる蓋として機能する。また、図３に示す姿勢で、カバー１１３は、上記の開口部Ｒｅよりも画像形成装置１の外部にあって、ユーザに用紙Ｐを取り扱わせるための領域として機能する。
【００２３】
サイドガイド１１５は、カバー１１３から−ｙ方向に差し込まれた用紙Ｐの幅方向の端部が幅方向に移動することを制限するガイドである。誘導部１１６は、用紙Ｐを搬送部１６へ供給する際に、その用紙Ｐの先端部を供給方向に誘導する。誘導部１１６は、例えば、複数枚の用紙Ｐが束になって供給部１２に送られた場合に、その束の中から１枚ずつ用紙Ｐを分離して、供給部１２に搬送部１６へ供給させる。また、誘導部１１６は、容器１１が領域Ｒｔに差し込まれるまでの間、容器１１に収容された用紙Ｐの先端部を揃えた状態でその用紙Ｐが移動することを制限する。
【００２４】
図４は、制限部材１１２の接触板１１２１を説明するための図である。図４（ａ）には、＋ｙ方向に見た接触板１１２１が示されている。接触板１１２１の−ｙ方向の側（第１の側）の面は、第１接触面Ｃ１である。シャフトＳは、軸Ｏ１を中心とする棒状の部材で、滑走板１１２２に取付けられる部分を有する。摩擦面Ｆは、制限部材１１２が第１の姿勢にあるときに、−ｚ方向に位置する面であり、摩擦によって制限部材１１２のｙ軸方向の動きに抵抗力を生じさせる。図４（ｂ）には、−ｘ方向に見た接触板１１２１が示されている。接触板１１２１の＋ｙ方向の側（以下、第２の側という）の面は、第２接触面Ｃ２である。
【００２５】
図５は、制限部材１１２の滑走板１１２２を説明するための図である。シャフト受筒Ｔは、少なくとも内側に開口部を有する筒状の形状をした部位であり、滑走板１１２２において軸Ｏ１上に２つ設けられている。この各開口部から接触板１１２１のシャフトＳの上述した部分をそれぞれ差し込むことで、滑走板１１２２は、接触板１１２１を回転可能に支持する。滑走板１１２２は、＋ｙ方向の端で３つに分かれている。中央の部材Ｂは板材であり、滑走板１１２２の重心を含む。左右の部材Ｈ１，Ｈ２は、それぞれ滑走板１１２２の−ｙ方向の端部における幅であるｗよりも、幅の方向に広がるような形状を有する。部材Ｈ１および部材Ｈ２がそれぞれ上述したレール１１４によってｘ軸方向の両側から内側にある部材Ｂに向けて押されることにより、部材Ｈ１は矢印Ｄ５１方向に、部材Ｈ２は矢印Ｄ５２方向に曲げられる。部材Ｈ１、Ｈ２は、この曲げに抵抗する反力を生じさせるので、この反力によってこれらがレール１１４に嵌る。これにより、滑走板１１２２は、レール１１４に保持され、レール１１４に沿ってｙ軸方向に移動する。
【００２６】
１−３．動作
図６は、制限部材１１２の動作を説明するための図である。制限部材１１２は、第１の姿勢を取るときに、図６（ａ）に示すように、第１の側で用紙Ｐと接して用紙Ｐの後端Ｐｅが＋ｙ方向に移動することを制限する。用紙Ｐの後端Ｐｅとは、用紙Ｐが供給される方向（−ｙ方向）における上流側、すなわち後部側の端部である。制限部材１１２が第１の姿勢を取るとき、接触板１１２１の摩擦面Ｆは、レール１１４に設けられた抵抗板Ｆｂに接触する。これにより、摩擦面Ｆと抵抗板Ｆｂとの間に摩擦による抵抗力が生じる。すなわち、第１の姿勢を取るときの制限部材１１２は、第１の姿勢を取っていないときよりも、レール１１４に沿って移動させる力に対する抵抗力が大きくなり、移動し難くなる。
【００２７】
制限部材１１２の第１の姿勢は、接触板１１２１の第２接触面Ｃ２が、滑走板１１２２の停止面Ｅに突き当たって位置決めされる。このとき、接触板１１２１の重心は、軸Ｏ１よりも＋ｙ方向にあることが望ましい。制限部材１１２が第１の姿勢を取ったときの接触板１１２１が、自重によって軸Ｏ１を中心として図６（ａ）に示す反時計回りに回転し難くするためである。この場合、接触板１１２１の第１接触面Ｃ１とｙ軸方向（例えば、抵抗板Ｆｂ）とが成す角θは、直角よりも大きいことが望ましい。
【００２８】
接触板１１２１における第１の側（−ｙ方向の側）に用紙Ｐがない場合、移動方向を遮る用紙Ｐがないので、第１の姿勢を取っている制限部材１１２の接触板１１２１は、図６（ａ）に示す反時計回りに回転可能である。この状態において、用紙Ｐが制限部材１１２における第２の側（＋ｙ方向の側）から、−ｙ方向、すなわち、図６（ｂ）に示す矢印Ｄ６１方向に沿って搬入された場合に、用紙Ｐの先端部Ｐｆによって接触板１１２１における第２の側の面である第２接触面Ｃ２が押される。これにより、接触板１１２１は、軸Ｏ１を中心として図６（ｂ）に示す矢印Ｄ６２方向に回転し、制限部材１１２は、配置面１１１１よりも上方に突出した部分を有しない姿勢（以下、第２の姿勢という）に変化する。
【００２９】
この結果、制限部材１１２が第２の姿勢を取るため、第２の側から−ｙ方向に搬入される用紙Ｐは妨げられることなく配置面１１１１の上に配置される。すなわち、容器１１の内部において、用紙Ｐ（媒体）の端部が移動することを制限する制限部材１１２は、容器１１へ用紙Ｐを搬入させることを妨げない。
【００３０】
２．変形例
以上が実施形態の説明であるが、この実施形態の内容は以下のように変形し得る。また、以下の変形例を組み合わせてもよい。
２−１．変形例１
上述した実施形態において、制限部材１１２は、用紙Ｐが第２の側から搬入された場合に、用紙Ｐの先端部Ｐｆによって第２接触面Ｃ２が押されて、接触板１１２１が回転し、第１の姿勢から第２の姿勢に変化していたが、制限部材１１２が第１の姿勢から第２の姿勢へ変化するときには、回転動作を伴わなくてもよい。
【００３１】
図７は、この変形例における姿勢の変化を説明するための図である。この変形例における制限部材１１２は、接触板１１２１に代えて図７（ａ）に示す接触板１１２１ａを備え、滑走板１１２２に代えて図７（ｂ）に示す滑走板１１２２ａを備える。接触板１１２１ａは、図７（ａ）に示すように、中央よりも−ｚ方向よりの位置において、＋ｘ方向および−ｘ方向に突起Ｓａが設けられた板である。滑走板１１２２ａは、図７（ｂ）に示すように、ｚ軸方向に伸びる長穴Ｒｖを有している。この長穴Ｒｖは＋ｚ方向の端部において＋ｙ方向に伸びた部分を有しており、この伸びた部分における−ｚ方向の部材（以下、この部材を台座Ｅａという）の上に接触板１１２１ａの突起Ｓａが差し込まれる。
【００３２】
用紙Ｐが接触板１１２１ａの第２の側から図７（ｂ）に示す矢印Ｄ７１方向に沿って搬入されると、接触板１１２１ａの第２接触面Ｃ２ａが−ｙ方向に押される。第２接触面Ｃ２ａが押されると、突起Ｓａは図７（ｂ）に示す矢印Ｄ７２方向に移動し、台座Ｅａよりも−ｙ方向にはみ出る。突起Ｓａの全体が台座Ｅａから外れると、突起Ｓａは長穴Ｒｖに沿って矢印Ｄ７３方向に落下し、これによって接触板１１２１ａの全体は、配置面１１１１ａよりも下（−ｚ方向）に配置される。この場合であっても、接触板１１２１ａは、配置面１１１１ａの上方に突出した部分を有する第１の姿勢を取るときに、この部分における第１の側で用紙Ｐと接してその端部が移動することを制限する。そして、接触板１１２１ａは、第２の側から用紙Ｐが搬入された場合に、搬入された用紙Ｐの端部によって上述した部分における第２の側が押されて、第１の姿勢から、配置面１１１１ａの上方に突出した部分を有しない第２の姿勢に変化する。
【００３３】
２−２．変形例２
上述した実施形態において、誘導部１１６の詳細な構成について言及しなかったが、誘導部１１６は例えば、以下に示す構成であってもよい。
図８は、誘導部１１６の構成の一例を示す図である。図９は、図８における矢視IX−IXから誘導部１１６を見た図である。誘導部１１６は、突当部材１１６１と、ロック部材１１６２と、分離部材１１６３と、バネ１１６４とを有する。突当部材１１６１は、用紙Ｐが−ｙ方向に進んで搬送部１６へ供給されることを、用紙Ｐの先端部Ｐｆに接触して阻止する姿勢（以下、阻止姿勢という）と、用紙Ｐが搬送部１６へ供給されることを許容する姿勢（以下、許容姿勢という）とを取り得るように構成されている。具体的には、突当部材１１６１は、ｘ軸方向に平行な軸Ｏ３を中心として回転可能に底板１１１に支持されている。そして、突当部材１１６１は、図８に示した姿勢が阻止姿勢であり、軸Ｏ３を中心として矢印Ｄ８方向に回転すると、許容姿勢に変化する。
【００３４】
ロック部材１１６２は、突当部材１１６１の下方に配置されている場合に、突当部材１１６１が阻止姿勢から許容姿勢へ変化することを制限する。分離部材１１６３は、供給部１２の分離ロール１２２と接触して、供給部１２の供給ロール１２１が複数枚の用紙Ｐを分離ロール１２２へ供給した場合に、上に積み重ねられた用紙Ｐから１枚ずつ分離する。
【００３５】
図９に示すように、バネ１１６４は、容器１１の筐体１１７における定められた位置に取付けられている。ロック部材１１６２は、ｚ軸方向に平行な軸Ｏ４を中心として回転可能に支持されている。ロック部材１１６２とバネ１１６４とは接続されているため、ロック部材１１６２に他の力がかかっていないときには、バネ１１６４による矢印Ｄ９４方向の付勢力によって、図９に示した姿勢を取る。この姿勢にあるとき、ロック部材１１６２の＋ｙ方向の端部は阻止姿勢を取る突当部材１１６１の下方（−ｚ方向）に配置されているので、突当部材１１６１が阻止姿勢から許容姿勢へ変化することを制限している。
【００３６】
容器１１が矢印Ｄ９１方向（−ｙ方向）に移動させられ、図１に示した開口部Ｒｅに差し込まれると、領域Ｒｔの−ｙ方向の奥側に設けられたリブ（図示せず）がロック部材１１６２に当たり、当たった部分で矢印Ｄ９２方向にロック部材１１６２を押す。これによって、ロック部材１１６２は軸Ｏ４を中心として矢印Ｄ９３方向に回転する。
【００３７】
図１０は、ロック部材１１６２が回転した後の配置を示す図である。図１１は、ロック部材１１６２の回転前後に応じて突当部材１１６１の姿勢が変化する様子を説明するための図である。図示しないリブがロック部材１１６２を押す前において、ロック部材１１６２はバネ１１６４によって引っ張られているので図１１（ａ）に示すように突当部材１１６１の下方に端部が潜り込んだ状態となっている。
【００３８】
図示しないリブがロック部材１１６２を押すと、ロック部材１１６２はバネ１１６４の矢印Ｄ１０方向（図１０参照）の付勢力に抗って回転する。これにより、ロック部材１１６２は図１１（ｂ）に示すように突当部材１１６１の下方（−ｚ方向）から抜け出る。そして、ロック部材１１６２は、突当部材１１６１の下方から抜け出ているため、突当部材１１６１が阻止姿勢から許容姿勢へ変化することを許容する。すなわち、突当部材１１６１は、図８に示した軸Ｏ３を中心として矢印Ｄ８方向に回転し、許容姿勢へ変化する。
【００３９】
以上の構成により、容器１１が開口部Ｒｅに差し込まれる前において、突当部材１１６１は阻止姿勢を取り、用紙Ｐの先端部Ｐｆが移動することを制限するので、用紙Ｐを供給する体制が整っていない状態において、用紙Ｐの配置は崩されない。そして、容器１１が領域Ｒｔに差し込まれると、突当部材１１６１は許容姿勢を取るので、用紙Ｐを供給する体制が整った状態において、用紙Ｐが供給されることを妨げない。
【００４０】
２−３．変形例３
また、上述した実施形態において、誘導部１１６と制限部材１１２とは連動していなかったが、連動してもよい。図１２は、この変形例における連動動作の一例を示す図である。誘導部１１６は、上述した変形例に示したロック部材１１６２に代えてロック部材１１６２ｂを備える。ロック部材１１６２ｂは、ｚ軸方向に平行な軸Ｏ４ｂを中心として回転可能に支持されている。なお、図１２において誘導部１１６の他の構成を省略する。
【００４１】
ロック部材１１６２ｂは、リンク機構１１８に接続されている。リンク機構１１８は、バー１１８１とバー１１８２とを備える。バー１１８１は、ｚ軸方向に平行な軸Ｏ５１を中心として回転可能なように、ロック部材１１６２ｂに接続されている。そして、バー１１８１において軸Ｏ５１が通っている側の端部と反対側の端部は、ｚ軸方向に平行な軸Ｏ５２によってバー１１８２と接続されている。そして、バー１１８２において軸Ｏ５２が通っている側の端部と反対側の端部は、容器１１の筐体１１７（図１２において図示せず）に対して、ｚ軸方向に平行な軸Ｏ５３によって接続されている。
【００４２】
これにより、ロック部材１１６２ｂが図示しないリブによって矢印Ｄ１２１方向に押されると、ロック部材１１６２ｂは、軸Ｏ４ｂを中心として矢印Ｄ１２２方向に回転する。そして、ロック部材１１６２ｂが軸Ｏ４ｂを中心に回転すると、その力がバー１１８１によってバー１１８２に伝えられ、バー１１８２は、軸Ｏ５３を中心として矢印Ｄ１２３方向に回転する。バー１１８２が回転するとレール１１４に沿って移動可能に設けられた制限部材１１２に接触し、この制限部材１１２を＋ｘ方向に押す。これによってバー１１８２と制限部材１１２との間に摩擦が生じるため、制限部材１１２はｙ軸方向に沿って移動し難くなる。
【００４３】
そして、上述した通り、ロック部材１１６２ｂが軸Ｏ４ｂを中心として矢印Ｄ１２２方向に回転すると、突当部材１１６１は阻止姿勢から許容姿勢へ変化する。すなわち、突当部材１１６１が阻止姿勢から許容姿勢へ変化するとき、リンク機構１１８は制限部材１１２を移動し難くさせる。なお、リンク機構１１８は、突当部材１１６１と接続されていてもよい。また、リンク機構１１８は、突当部材１１６１が阻止姿勢から許容姿勢へ変化するとき、制限部材１１２を移動し易くさせてもよい。また、容器１１が、底板１１１やレール１１４を＋ｚ方向に移動（例えば上昇）させる駆動機構を有している場合に、リンク機構１１８は、突当部材１１６１が阻止姿勢から許容姿勢へ変化するときに合わせて、この駆動機構を駆動させ、用紙Ｐを積載した底板１１１またはレール１１４を移動させてもよい。
【００４４】
２−４．変形例４
上述した実施形態において、制限部材１１２の第２の姿勢は、配置面１１１１よりも上方に突出した部分を有しない姿勢であったが、配置面１１１１の上方に突出した部分が、第１の姿勢を取るときよりも小さい姿勢であればよい。すなわち、制限部材１１２は、第１の姿勢から第２の姿勢に変化することで、配置面１１１１の上方に突出した部分が小さくなり、その結果、用紙Ｐ（媒体）が制限部材１１２を乗り越えて移動することを許容する構成であればよい。
【００４５】
２−５．変形例５
上述した実施形態において、供給部１２が容器１１から用紙Ｐを取り出して搬送部１６に供給する方向と、用紙Ｐが容器１１に搬入される方向は同じ−ｙ方向であったが、これら２つの方向は異なっていてもよい。例えば、用紙Ｐが容器１１に搬入される方向は、＋ｘ方向、すなわち、用紙Ｐの幅方向であってもよい。この場合、−ｘ方向側に配置されたサイドガイド１１５が、上述した制限部材の構成を備えていればよく、用紙Ｐは、その幅の方向に沿って容器１１に搬入され、制限部材の構成を備えたサイドガイド１１５の姿勢がその搬入に伴って変化すればよい。
【符号の説明】
【００４６】
１…画像形成装置、１１…容器、１１１…底板、１１１１…配置面、１１１１ａ…配置面、１１２…制限部材、１１２１…接触板、１１２１ａ…接触板、１１２２…滑走板、１１２２ａ…滑走板、１１３…カバー、１１４…レール、１１５…サイドガイド、１１６…誘導部、１１６１…突当部材、１１６２…ロック部材、１１６２ｂ…ロック部材、１１６３…分離部材、１１６４…バネ、１１７…筐体、１１８…リンク機構、１１８１…バー、１１８２…バー、１２…供給部、１２１…供給ロール、１２２…分離ロール、１３…現像部、１４…転写部、１５…加熱部、１６…搬送部、３１…感光体ドラム、３２…帯電器、３３…露光装置、３４…現像器、３５…一次転写ロール、３６…ドラムクリーナ、４１…中間転写ベルト、４２…二次転写ロール、４３…ベルト搬送ロール、４４…バックアップロール、４９…ベルトクリーナ、Ｃ１…第１接触面、Ｃ２…第２接触面、Ｃ２ａ…第２接触面、Ｅ…停止面、Ｆ…摩擦面、Ｈ１…部材、Ｈ２…部材、Ｏ１…軸、Ｏ２…軸、Ｏ３…軸、Ｏ４…軸、Ｏ４ｂ…軸、Ｏ５１…軸、Ｏ５２…軸、Ｏ５３…軸、Ｐ…用紙、Ｓ…シャフト、Ｔ…シャフト受筒
【図１】
0005953850.tif 000002
【図２】
0005953850.tif 000003
【図３】
0005953850.tif 000004
【図４】
0005953850.tif 000005
【図５】
0005953850.tif 000006
【図６】
0005953850.tif 000007
【図７】
0005953850.tif 000008
【図８】
0005953850.tif 000009
【図９】
0005953850.tif 000010
【図１０】
0005953850.tif 000011
【図１１】
0005953850.tif 000012
【図１２】
0005953850.tif 000013